(57)【要約】  引出形遮断器は、端子装置と、シャッター装置とを備える。端子装置は、複数の引出枠側導体が挿入される絶縁ベース（２１）を複数有する。シャッター装置は、複数の固定シャッターを有する。複数の絶縁ベース（２１）は、遮断器本体が引き出される方向である第１の方向と直交する方向である第２の方向に配列される。複数の絶縁ベース（２１）の各々は、第２の方向で対向する一対の壁部（２１３，２１４）の各々は、固定シャッターと係合する係合部（２１３ｆ，２１４ｆ）を有する。係合部（２１３ｆ，２１４ｆ）の各々は、第１の方向へ延伸する第１の延伸部（２１３ｆ１，２１４ｆ１）と、第１の延伸部（２１３ｆ１，２１４ｆ１）の先端から第２方向に向けて延伸する第２の延伸部（２１３ｆ２，２１４ｆ２）とを有する。一対の壁部（２１３，２１４）の一方の第２の延伸部（２１３ｆ２）と他方の第２の延伸部（２１４ｆ２）とは、互いに離れる方向に延伸する。
2019171500.tif 000002
【特許請求の範囲】
【請求項１】
引出枠と、
電源側導体および負荷側導体に接続される複数の引出枠側導体と、前記複数の引出枠側導体が挿入される絶縁ベースとを含む端子ユニットを複数有し、前記引出枠内に配設される端子装置と、
前記引出枠内に収納された状態で前記複数の引出枠側導体と接続される複数の遮断器側導体を有し、前記引出枠内からの引き出しが可能な遮断器本体と、
前記遮断器本体の前記引出枠内への収納時に前記複数の遮断器側導体が挿入される複数の開口を有する複数の固定シャッターと、前記遮断器本体が前記引出枠内から引き出された場合に前記複数の開口を塞ぐ可動シャッターと、を有するシャッター装置と、を備え、
複数の前記絶縁ベースは、前記遮断器本体が引き出される方向である第１の方向と直交する方向である第２の方向に配列され、
前記複数の絶縁ベースの各々は、
前記第２の方向で対向する一対の壁部を有し、
前記一対の壁部の各々は、
前記固定シャッターと係合する係合部を有し、
前記係合部の各々は、
前記第１の方向へ延伸する第１の延伸部と、前記第１の延伸部の先端から前記第２の方向に延伸する第２の延伸部とを有し、
前記一対の壁部の一方の前記第２の延伸部と他方の前記第２の延伸部とは、互いに離れる方向に延伸する
ことを特徴とする引出形遮断器。
【請求項２】
前記複数の固定シャッターは、第１の固定シャッターと、第２の固定シャッターとを含み、
前記第１の固定シャッターは、
前記係合部の前記第１の延伸部が挿入される第１の開口を備え、
前記第２の固定シャッターは、
前記係合部の前記第１の延伸部が挿入される切欠部と、
前記第１の方向および前記第２の方向の各々に直交する第３の方向に突出し、前記第１の固定シャッターの第１の開口に前記第１の延伸部に挿入された状態の前記係合部の前記第２の延伸部と係合するシャッター側係合部を有する
ことを特徴とする請求項１に記載の引出形遮断器。
【請求項３】
前記一対の壁部の各々は、
前記第１の方向へ延伸する突出部を有し、
前記第１の固定シャッターは、
前記絶縁ベースの前記突出部が挿入される第２の開口を有し、
前記第２の固定シャッターは、
前記遮断器本体と対向する面とは逆の面で前記突出部に当接する
ことを特徴とする請求項２に記載の引出形遮断器。
【請求項４】
前記第２の開口には、
前記複数の絶縁ベースのうち互いに隣接する２つの絶縁ベースの前記突出部が挿入される
ことを特徴とする請求項３に記載の引出形遮断器。
【請求項５】
前記シャッター装置は、
前記遮断器本体の前記引出枠からの引き出しに連動して前記可動シャッターを移動するシャッター駆動ユニットを備え、
前記シャッター駆動ユニットは、
前記複数の絶縁ベースのうち一つの絶縁ベースの内部における前記複数の引出枠側導体間に配置される
ことを特徴とする請求項１から４のいずれか一項に記載の引出形遮断器。
【請求項６】
前記シャッター駆動ユニットは、
前記第１の方向に付勢されたロッドと、
前記第１の方向と逆方向への前記ロッドの移動に伴って回転し前記可動シャッターを前記複数の開口を塞ぐ遮断位置から前記複数の開口を露出させる解放位置に移動させるリンクとを有する
ことを特徴とする請求項５に記載の引出形遮断器。
【請求項７】
前記シャッター駆動ユニットは、
前記リンクを回転可能に保持し、前記第１の方向とは逆方向への前記ロッドの移動に伴って前記ロッドが挿入されるユニットベースを備え、
前記ユニットベースは、
前記可動シャッターが前記解放位置にある状態で前記ロッドを保持可能である
ことを特徴とする請求項６に記載の引出形遮断器。
【請求項８】
前記ロッドは、
前記第１の方向と直交する方向に突出する突起部を備え、
前記シャッター駆動ユニットは、
前記突起部をガイドするガイド溝と、
前記第１の方向と直交する方向で前記ガイド溝に連続し、前記突起部を係止する凹部と、を有する
ことを特徴とする請求項７に記載の引出形遮断器。
【請求項９】
前記凹部は、
前記第１の方向と逆方向への前記ロッドの移動に伴い前記突起部を前記ガイド溝へ進入させる傾斜部を有する
ことを特徴とする請求項８に記載の引出形遮断器。
【発明の詳細な説明】
【技術分野】
【０００１】
本発明は、端子装置が配設される引出枠内に引き出し可能に遮断器本体が収納される引出形遮断器に関する。
【背景技術】
【０００２】
従来、シャッター装置を備える引出形遮断器が知られている。シャッター装置を備える引出形遮断器は、引出枠と、引出枠に配置される端子装置と、引出枠内からの引き出しが可能な遮断器本体と、端子装置の前面に取り付けられるシャッター装置とを備えている。【０００３】
端子装置は、電源側導体および負荷側導体に接続される複数の引出枠側導体と、複数の引出枠側導体が挿入される絶縁ベースとを相毎に有している。また、遮断器本体は、引出枠内に収納された状態で複数の引出枠側導体と接続される複数の遮断器側導体を有している。そして、シャッター装置は、引出枠から遮断器本体が引き出されたときに引出枠側導体が遮断器本体側から見て露出することを防止するために、引出枠側導体を覆う機能を有している。【０００４】
例えば、特許文献１には、遮断器本体から突出する遮断器側導体の挿入が可能な開口を有する固定シャッターと、遮断器本体が引き出される際に駆動機構によって固定シャッターの開口を覆う位置に移動される可動シャッターとを備えるシャッター装置が開示されている。かかる引出形遮断器は、相毎に設けられる絶縁ベースが左右対称形の半体を組み合わせることで構成されており、２つの半体に互いに対向する向きに設けられたガイド溝に固定シャッターを挿入することで、固定シャッターを絶縁ベースに容易に取り付けることができる。
【先行技術文献】
【特許文献】
【０００５】
【特許文献１】特開平６−２２４１８号公報
【発明の概要】
【発明が解決しようとする課題】
【０００６】
しかしながら、相毎に設けられる絶縁ベースをモールド成形により一体形成する場合、固定シャッターを挿入可能なガイド溝を絶縁ベースに設けることが困難であるといった課題がある。そのため、上記従来の引出形遮断器では、端子ユニットの組立またはメンテナンスを容易に行うことができない場合があった。【０００７】
本発明は、上記に鑑みてなされたものであって、絶縁ベースを一体形成した場合であっても、固定シャッターを絶縁ベースに容易に取り付けることができる引出形遮断器を得ることを目的とする。
【課題を解決するための手段】
【０００８】
上述した課題を解決し、目的を達成するために、本発明の引出形遮断器は、引出枠と、端子装置と、遮断器本体と、シャッター装置とを備える。端子装置は、電源側導体および負荷側導体に接続される複数の引出枠側導体と、複数の引出枠側導体が挿入される絶縁ベースとを含む端子ユニットを複数有し、引出枠内に配設される。遮断器本体は、引出枠内に収納された状態で複数の引出枠側導体と接続される複数の遮断器側導体を有し、引出枠内からの引き出しが可能である。シャッター装置は、遮断器本体の引出枠内への収納時に複数の遮断器側導体が挿入される複数の開口を有する複数の固定シャッターと、遮断器本体が引出枠内から引き出された場合に複数の開口を塞ぐ可動シャッターとを有する。複数の絶縁ベースは、遮断器本体が引き出される方向である第１の方向と直交する方向である第２の方向に配列される。複数の絶縁ベースの各々は、第２の方向で対向する一対の壁部を有する。一対の壁部の各々は、固定シャッターと係合する係合部を有する。係合部の各々は、第１の方向へ延伸する第１の延伸部と、第１の延伸部の先端から第２の方向に延伸する第２の延伸部とを有する。一対の壁部の一方の第２の延伸部と他方の第２の延伸部とは、互いに離れる方向に延伸する。
【発明の効果】
【０００９】
本発明によれば、絶縁ベースを一体形成した場合であっても、固定シャッターを絶縁ベースに容易に取り付けることができる、という効果を奏する。
【図面の簡単な説明】
【００１０】
【図１】本発明の実施の形態１にかかる引出形遮断器の外観図
【図２】実施の形態１にかかる引出形遮断器において遮断器本体が引出枠内から引き出された状態を示す外観図
【図３】実施の形態１にかかる端子装置を構成する複数の端子ユニットを引出枠内に配置する様子を示す背面図
【図４】実施の形態１にかかる端子ユニットの分解斜視図
【図５】実施の形態１にかかる引出枠側導体の構成例を示す平面図
【図６】実施の形態１にかかる端子装置にシャッター装置を取り付ける様子を示す外観斜視図
【図７】実施の形態１にかかる端子装置にシャッター装置を取り付けた状態を示す外観斜視図
【図８】実施の形態１にかかる可動シャッターの構成例を示す図
【図９】実施の形態１にかかるシャッター駆動ユニットの一例を示す外観斜視図
【図１０】実施の形態１にかかるシャッター駆動ユニットの分解斜視図
【図１１】実施の形態１にかかるシャッター駆動ユニットの他の例を示す底面図
【図１２】図１１に示すシャッター駆動ユニットのロッドの外観斜視図
【図１３】図１１に示すユニットベースにロッドおよびリンクを取り付けた状態のシャッター駆動ユニットの平面図
【図１４】図１１に示すユニットベースにロッドおよびリンクを取り付けた状態のシャッター駆動ユニットの平面図
【図１５】図１１に示すXV-XV線に沿った断面図
【図１６】実施の形態１にかかる遮断器本体が引出枠内に収納された状態の引出形遮断器の一部断面図
【図１７】実施の形態１にかかる遮断器本体が引出枠内から引き出された状態の引出形遮断器の一部断面図
【図１８】実施の形態１にかかる絶縁ベースの一例を示す正面図
【図１９】実施の形態１にかかる絶縁ベースの一例を示す外観斜視図
【図２０】実施の形態１にかかる第１の固定シャッターの構成例を示す図
【図２１】実施の形態１にかかる第２の固定シャッターの構成例を示す図
【図２２】実施の形態１にかかる絶縁ベースへシャッター駆動ユニットが取り付けられた様子を示す図
【図２３】実施の形態１にかかる絶縁ベースへ可動シャッター部を取り付ける様子を示す図
【図２４】実施の形態１にかかる絶縁ベースへ第１の固定シャッターを取り付ける様子を示す図
【図２５】実施の形態１にかかる絶縁ベースへ第２の固定シャッターを取り付ける様子を示す図
【図２６】実施の形態１にかかるシャッター装置が装着された端子装置の正面図
【図２７】図２６に示すXXII-XXII線に沿った断面図
【図２８】実施の形態１にかかる絶縁ベースの他の例を示す外観斜視図
【図２９】実施の形態１にかかる固定シャッター部の他の例を示す正面図
【図３０】図２８に示す絶縁ベースへ図２９に示す固定シャッター部を取り付けた状態を示す正面図
【図３１】実施の形態２にかかる端子装置の正面図
【図３２】実施の形態２にかかる端子装置にシャッター装置を取り付ける様子を示す外観斜視図
【図３３】実施の形態２にかかる第３の固定シャッターの外観斜視図
【図３４】実施の形態２にかかる補助パネルの外観斜視図
【発明を実施するための形態】
【００１１】
以下に、本発明の実施の形態にかかる引出形遮断器を図面に基づいて詳細に説明する。なお、この実施の形態によりこの発明が限定されるものではない。
【００１２】
実施の形態１．
図１は、本発明の実施の形態１にかかる引出形遮断器の外観図であり、図２は、実施の形態１にかかる引出形遮断器において遮断器本体が引出枠内から引き出された状態を示す外観図である。なお、図１および図２を含む図面において、説明を分かりやすくするために、鉛直上向きが正方向であるＺ軸と、実施の形態１にかかる引出形遮断器１００の前方を正方向とするＸ軸と、引出形遮断器１００の右方向を正方向とするＹ軸とを含む３次元の直交座標系を図示している。
【００１３】
図１に示すように、実施の形態１にかかる引出形遮断器１００は、３相回路の電路の開閉を行う遮断器本体１と、遮断器本体１に接続される端子装置２と、端子装置２が配設され且つ遮断器本体１を引き出し可能に収納する引出枠３とを備える。さらに、引出形遮断器１００は、図２に示すように、遮断器本体１と引出枠３とを連結する引出レール４を備える。かかる引出レール４によって、遮断器本体１が引出枠３内から引き出し可能となる。なお、引出形遮断器１００は、例えば、不図示の閉鎖配電盤の筐体内に遮断器本体１を引出可能に収納される。
【００１４】
遮断器本体１は、３相回路の電路の開動作および閉動作を行う周知の構成を有する。開動作は、３相回路におけるＲ相、Ｓ相、およびＴ相の各々の電路を遮断する動作であり、閉動作は、３相回路におけるＲ相、Ｓ相、およびＴ相の各々の電路を接続する動作である。
【００１５】
遮断器本体１は、不図示の固定接点、可動接点、開閉機構、および引外し機構を内蔵する筐体１０と、筐体１０の後方へ突出する遮断器側導体１１−１，１１−２，１１−３，１２−１，１２−２，１２−３とを備える。固定接点および可動接点は、相毎に設けられる。なお、遮断器側導体１１−１，１１−２，１１−３の各々を個別に区別せずに遮断器側導体１１と記載し、遮断器側導体１２−１，１２−２，１２−３の各々を個別に区別せずに遮断器側導体１２と記載する場合がある。
【００１６】
筐体１０の前面部１０ａには不図示の操作ボタンが設けられており、かかる操作ボタンが操作されることで、相単位で可動接点が固定接点へ接触する閉動作および相単位で可動接点が固定接点から乖離する開動作が行われる。相単位で可動接点が固定接点へ接触することで３相回路の電路が接続されて遮断器本体１が通電状態になる。また、相単位で可動接点が固定接点から乖離することで３相回路の電路が遮断されて遮断器本体１が非通電状態になる。また、筐体１０内に設けられた引外し機構は、３相回路に過電流が流れたとき、相単位で可動接点を固定接点から自動的に乖離させて３相回路の電路を遮断する構成を有している。
【００１７】
遮断器側導体１１は、筐体１０内に設けられた固定接点に接続され、端子装置２を介して不図示の電源側導体に電気的に接続される導体である。遮断器側導体１２は、筐体１０内に設けられた可動接点に接続され、端子装置２を介して不図示の負荷側導体に電気的に接続される導体である。遮断器側導体１１−１，１２−１は、Ｒ相の電路を形成する導体であり、遮断器側導体１１−２，１２−２は、Ｓ相の電路を形成する導体であり、遮断器側導体１１−３，１２−３は、Ｔ相の電路を形成する導体である。なお、図２に示す例では、遮断器側導体１１が遮断器側導体１２よりも上方に位置しているが、遮断器側導体１１が遮断器側導体１２よりも下方に位置していてもよい。
【００１８】
端子装置２は、複数の絶縁ベース２１と、かかる複数の絶縁ベース２１に後方が突出した状態で収納される引出枠側導体２２−１，２２−２，２２−３，２３−１，２３−２，２３−３とを備える。引出枠側導体２２−１，２３−１は、Ｒ相の電路を形成する導体であり、引出枠側導体２２−２，２３−２は、Ｓ相の電路を形成する導体であり、引出枠側導体２２−３，２３−３は、Ｔ相の電路を形成する導体である。なお、引出枠側導体２２−１，２２−２，２２−３の各々を個別に区別せずに示す場合、引出枠側導体２２と記載し、引出枠側導体２３−１，２３−２，２３−３の各々を個別に区別せずに示す場合、引出枠側導体２３と記載する。
【００１９】
引出枠側導体２２は、絶縁ベース２１から突出した一端部が不図示の電源側導体に接続され、遮断器本体１が引出枠３内に収納された場合に他端部が遮断器側導体１１に接続される。また、引出枠側導体２３は、絶縁ベース２１から突出した一端部が不図示の負荷側導体に接続され、遮断器本体１が引出枠３内に収納された場合に他端部が遮断器側導体１２に接続される。なお、電源側導体は、電源装置と引出形遮断器１００とを接続する導体である。また、負荷側導体は、電源装置から電力が供給される負荷と引出形遮断器１００とを接続する導体である。負荷は、例えば、電源装置からの電力で動作する電気機器である。端子装置２の構成については後で詳述する。
【００２０】
引出枠３は、左右の側板３１，３２を備える。図１に示すように、遮断器本体１は、左右の側板３１，３２で囲まれる領域である引出枠３内に引き出し可能に収納される。また、端子装置２は、引出枠３内に着脱可能に配設される。図１に示す例では、引出枠３内への遮断器本体１の収納は、遮断器本体１の前面部１０ａが露出した状態で行われ、引出枠３内への端子装置２の配設は、引出枠側導体２２，２３が後方に突出した状態で行われる。なお、引出枠３は、図１および図２に示す構成に限定されず、また、引出枠３内への遮断器本体１の収納位置および引出枠３内への端子装置２の配設位置も図１および図２に示す例に限定されない。
【００２１】
引出レール４は、遮断器本体１を引出枠３内から引き出し可能に遮断器本体１と引出枠３とを連結する引出レールであり、前後方向に引出レール４の長さが伸縮可能になるように連結された複数のレール部材４１，４２から構成される。なお、引出レール４は、遮断器本体１を引出枠３内から引き出し可能に遮断器本体１と引出枠３とを連結する構成であればよく、図２に示す構成に限定されない。また、引出レール４に代えて、遮断器本体１を引出枠３内から引き出し可能に遮断器本体１と引出枠３とを連結する１以上の部材を引出形遮断器１００に設けてもよい。
【００２２】
遮断器本体１は、例えば、不図示の引出ハンドルおよび引出機構を備えており、引出ハンドルを引出機構に係合させて回転させることで、引出機構によって引出レール４を前後方向に伸縮させることができる。引出レール４が前後方向に伸びることで引出枠３内から遮断器本体１が引き出される。また、引出レール４が前後方向で縮むことで引出枠３内に遮断器本体１が収納され、遮断器本体１の遮断器側導体１１，１２と端子装置２の引出枠側導体２２，２３とが接続される。
【００２３】
次に、端子装置２の具体的な構成について説明する。図３は、実施の形態１にかかる端子装置を構成する複数の端子ユニットを引出枠内に配置する様子を示す背面図である。図３に示すように、端子装置２は、３つの端子ユニット２０−１，２０−２，２０−３を備える。
【００２４】
図３に示す例では、端子ユニット２０−１，２０−２，２０−３が引出枠３内に配置される際の様子を示している。図３に示す双方向の矢印は、端子ユニット２０−１，２０−２の移動方向を示す。端子ユニット２０−１，２０−２，２０−３は、引出枠３の上方から下方に移動させることで引出枠３内に配置することができ、また、上方へ移動させることで引出枠３から取り外すことが可能である。
【００２５】
端子ユニット２０−１，２０−２，２０−３の下端部は、引出枠３を構成する保持板３３の不図示の開口に挿入されて保持板３３で保持される。また、端子ユニット２０−１，２０−２，２０−３の上端部は、図２に示すように、引出枠３を構成する保持板３４の不図示の開口に挿入されて保持板３４で保持される。これにより、端子装置２が引出枠３に固定される。保持板３３，３４は、側板３１，３２に固定されており、側板３１，３２から保持板３３を取り外すことで、端子ユニット２０−１，２０−２，２０−３を引出枠３内から取り外すことができる。このように、端子装置２は、引出枠３内に着脱可能に配置される。
【００２６】
端子ユニット２０−１は、引出枠側導体２２−１，２３−１を備える。また、端子ユニット２０−２は、引出枠側導体２２−２，２３−２を備える。端子ユニット２０−３は、引出枠側導体２２−３，２３−３を備える。端子ユニット２０−１，２０−２，２０−３は互いに同じ構成である。端子ユニット２０−１，２０−２，２０−３の各々を個別に区別せずに示す場合、端子ユニット２０と記載する。
【００２７】
図４は、実施の形態１にかかる端子ユニットの分解斜視図であり、図５は、実施の形態１にかかる引出枠側導体の構成例を示す平面図である。図４に示すように、端子ユニット２０は、絶縁ベース２１と、引出枠側導体２２，２３とを備える。絶縁ベース２１は、引出枠側導体２２が挿入される端子収納部２１５と、引出枠側導体２３が挿入される端子収納部２１６と、後述する２つのシャッター駆動ユニット５３が各々挿入される２つのユニット収納部２１７とを備える。
【００２８】
引出枠側導体２２は、端子導体２２１と、中継端子導体２２２と、コネクター２２３とを備える。また、引出枠側導体２３は、端子導体２３１と、中継端子導体２３２と、コネクター２３３とを備える。引出枠側導体２２，２３は互いに同じ構成であるため、以下においては、引出枠側導体２２の構成を例に挙げて説明する。
【００２９】
引出枠側導体２２の端子導体２２１は、第１の鉛直面であるＺ−Ｙ平面に沿って広がる底部２２１ａと、底部２２１ａから後方へ延伸し且つ水平面であるＸ−Ｙ平面に平行に配置される端子部２２１ｂとを備える。端子導体２２１の端子部２２１ｂに不図示の電源側導体が接続される。なお、端子導体２３１の端子部には不図示の負荷側導体が接続される。図４に示す例では、底部２２１ａは、正面視において４辺の長さが等しい正方形形状を有しており、直方体状に形成されている。また、端子部２２１ｂは、底部２２１ａの上下方向で対向する辺で挟まれた領域の中間部分から底部２２１ａに垂直に後方へ延伸する形状に形成されている。底部２２１ａの底面は、平坦面である。なお、端子部２２１ｂは、側面視でＴ字状に形成されるが、図４に示す形状に限定されない。
【００３０】
中継端子導体２２２は、第１の鉛直面であるＺ−Ｙ平面に沿って広がる底部２２２ａと、底部２２２ａから前方へ第１の鉛直面に直交する第２の鉛直面であるＸ−Ｚ平面に沿って延伸し且つ平面視でＹ字状に形成された先端部２２２ｂとを備える。中継端子導体２２２は、端子収納部２１５に挿入され、中継端子導体２２２の底部２２２ａが複数のネジ２５によって固定される。なお、ネジ２５は、絶縁ベース２１に設けられたネジ穴２１９を通じて中継端子導体２２２に取り付けられる。
【００３１】
図５に示すように、中継端子導体２２２の底部２２２ａは、端子導体２２１の底部２２１ａと複数のボルト２４によって連結される。これにより、中継端子導体２２２と端子導体２２１とが電気的に接続される。なお、図４および図５に示す例では、中継端子導体２２２と端子導体２２１とは、４本のボルト２４で固定されるが、ボルト２４の数は４本に限定されない。また、中継端子導体２２２と端子導体２２１とは、ボルト２４以外の締結具で固定されてもよい。
【００３２】
図５に示すように、引出枠側導体２２のコネクター２２３は、中継端子導体２２２と接続される。かかるコネクター２２３は、遮断器本体１が引出枠３内に収納された状態において、遮断器本体１の遮断器側導体１１に接続される。コネクター２２３は、中継端子導体２２２と係合する溝部２２３ａと、遮断器側導体１１と係合する溝部２２３ｂとを備える。
【００３３】
コネクター２２３と中継端子導体２２２との接続は、コネクター２２３の溝部２２３ａに中継端子導体２２２の先端部２２２ｂを挿入することにより行われる。溝部２２３ａを構成する部材と先端部２２２ｂを構成する部材は、弾性を有しており、先端部２２２ｂが溝部２２３ａに係合すると、先端部２２２ｂの外面と溝部２２３ａの内壁面とが互いに押し合う。そのため、先端部２２２ｂと溝部２２３ａとの係合を強固なものとすることができ、遮断器側導体１１を引出枠側導体２２から引き抜く際に、中継端子導体２２２とコネクター２２３とが外れることを防止することができる。このように、先端部２２２ｂと溝部２２３ａとの係合は、ストッパーの役割も果たす。
【００３４】
また、コネクター２２３と遮断器側導体１１との接続は、コネクター２２３の溝部２２３ｂに遮断器側導体１１の先端部を挿入することによって行われる。遮断器側導体１１の先端部がコネクター２２３の溝部２２３ｂに挿入される際に、コネクター２２３は、首振り動作を行うことができる。先端部２２２ｂと溝部２２３ａとの係合部分がコネクター２２３の首振り動作の支点になる。なお、コネクター２２３は、首振り動作を行わない構成であってもよい。また、中継端子導体２２２と端子導体２２１とは一体成形によって構成されてもよく、端子導体２２１と中継端子導体２２２とコネクター２２３とは、一体成形によって構成されてもよい。
【００３５】
次に、端子ユニット２０に取り付けられるシャッター装置５について説明する。図６は、実施の形態１にかかる端子装置にシャッター装置を取り付ける様子を示す外観斜視図であり、図７は、実施の形態１にかかる端子装置にシャッター装置を取り付けた状態を示す外観斜視図である。
【００３６】
図６および図７に示すように、シャッター装置５は、端子装置２の前面を覆う固定シャッター部５１と、固定シャッター部５１と端子装置２との間に配設された可動シャッター部５２と、２つのシャッター駆動ユニット５３とを備える。固定シャッター部５１は、第１の固定シャッター５１１と、２つの第２の固定シャッター５１２を備える。可動シャッター部５２は、２つの可動シャッター５２１を備える。２つの可動シャッター５２１のうち上側の可動シャッター５２１は、電源側用の可動シャッターであり、下側の可動シャッター５２１は、負荷側用の可動シャッターである。
【００３７】
シャッター駆動ユニット５３は、図４に示す絶縁ベース２１に形成されたユニット収納部２１７に挿入される。シャッター駆動ユニット５３がユニット収納部２１７に挿入された後、２つの可動シャッター５２１が端子ユニット２０−１，２０−２，２０−３の絶縁ベース２１に取り付けられる。その後、固定シャッター部５１が、端子ユニット２０−１，２０−２，２０−３の絶縁ベース２１に取り付けられる。第１の固定シャッター５１１は、端子ユニット２０−２と対向する位置に配置される。２つの第２の固定シャッター５１２のうちの一方は、端子ユニット２０−１と対向する位置に配置され、他方は、端子ユニット２０−３と対向する位置に配置される。
【００３８】
まず、可動シャッター５２１の構成、シャッター駆動ユニット５３の構成、および可動シャッター５２１とシャッター駆動ユニット５３との関係について説明する。図８は、実施の形態１にかかる可動シャッターの構成例を示す図である。
【００３９】
図８に示すように、可動シャッター５２１は、閉塞板部５２１ａ，５２１ｂ，５２１ｃと、閉塞板部５２１ａ，５２１ｂ，５２１ｃの一端部同士を連結する連結部５２１ｄと、閉塞板部５２１ａ，５２１ｂ，５２１ｃの他端部同士を連結する連結部５２１ｅと、連結部５２１ｅから外方に突出する凸部５２１ｆとを備える。凸部５２１ｆには開口５２１ｇが形成される。
【００４０】
可動シャッター５２１は、絶縁ベース２１に摺動可能に取り付けられる。図６に示すように、各絶縁ベース２１には、摺動面２１１ａ，２１２ａが形成されている。そして、各可動シャッター５２１は、摺動面２１１ａまたは摺動面２１２ａに摺動可能に取り付けられる。各可動シャッター５２１は、摺動面２１１ａまたは摺動面２１２ａを左右方向に摺動して、閉塞位置と開放位置とに選択的に移動することができる。
【００４１】
閉塞位置は、閉塞板部５２１ａ，５２１ｂ，５２１ｃで固定シャッター部５１の開口５１１ａ，５１２ａまたは開口５１１ｂ，５１２ｂを閉塞する位置である。また、開放位置は、閉塞板部５２１ａ，５２１ｂ，５２１ｃで開口５１１ａ，５１２ａまたは開口５１１ｂ，５１２ｂを閉塞しない位置である。
【００４２】
図９は、実施の形態１にかかるシャッター駆動ユニットの一例を示す外観斜視図であり、図１０は、実施の形態１にかかるシャッター駆動ユニットの分解斜視図である。図９および図１０に示すように、シャッター駆動ユニット５３は、筐体部５３０と、筐体部５３０に一端が固定される圧縮ばね５３３と、圧縮ばね５３３の他端に基端が付勢されるロッド５３４とを備える。また、シャッター駆動ユニット５３は、筐体部５３０に回転可能に保持され筐体部５３０に一端が係止されたコイルばね５３５と、コイルばね５３５の他端によって付勢され、可動シャッター５２１に係合されるリンク５３６とを備える。
【００４３】
筐体部５３０は、ロッド５３４が摺動する摺動溝５３１ａと、リンク５３６を回転可能に支持する円柱状の軸部５３１ｂとが形成されるユニットベース５３１と、ユニットベース５３１に上方から取り付けられるユニットカバー５３２とを備える。ユニットカバー５３２には、右方向または左方向に突出する複数の凸部５３２ａ，５３２ｂが形成される。ユニットベース５３１とユニットカバー５３２とにより形成される空間に、圧縮ばね５３３と、コイルばね５３５と、リンク５３６と、ロッド５３４の一部とが配置される。
【００４４】
ロッド５３４は、前後方向に延伸する延伸部５３４ａと、延伸部５３４ａの後端に連続し、圧縮ばね５３３の他端に固定される基端部５３４ｂと、基端部５３４ｂから圧縮ばね５３３に沿って後方に突出し且つリンク５３６と左右方向で対向する面が弧状に形成された係合部５３４ｃと、遮断器本体１に接触して遮断器本体１から押される接触部５３４ｄとを有する。図９および図１０に示す状態では、ロッド５３４は、圧縮ばね５３３によって基端部５３４ｂが前方に付勢された状態で基端部５３４ｂが筐体部５３０に係止されている。遮断器本体１が引出枠３内に収納される場合に、圧縮ばね５３３の押し戻す力に抗して、ロッド５３４の接触部５３４ｄが遮断器本体１によって後方へ押され、ロッド５３４が後方に移動する。
【００４５】
リンク５３６は、Ｌ字状に形成されており、角部がユニットベース５３１の軸部５３１ｂによって回転可能に支持される。リンク５３６は、軸部５３１ｂが挿入される開口５３６ａと、コイルばね５３５の他端によって付勢され、ロッド５３４の係合部５３４ｃを前方に付勢する第１のアーム部５３６ｂと、先端５３６ｄが筐体部５３０の開口５３０ａから突出して可動シャッター５２１の開口５２１ｇに挿入される第２のアーム部５３６ｃとを有する。
【００４６】
ロッド５３４が遮断器本体１によって後方へ移動された場合、第１のアーム部５３６ｂの先端がロッド５３４の係合部５３４ｃによって後方へ押される。係合部５３４ｃが後方へ移動すると、第１のアーム部５３６ｂが平面視で時計回りに回転する。そのため、第２のアーム部５３６ｃが軸部５３１ｂを回転中心として平面視で時計回りに回転し、第２のアーム部５３６ｃの先端５３６ｄが左から右へ移動する。第２のアーム部５３６ｃの先端５３６ｄは、可動シャッター５２１の開口５２１ｇと係合している。そのため、先端５３６ｄの右方向への移動に伴って、可動シャッター５２１が開放位置へ移動する。
【００４７】
シャッター駆動ユニット５３は、図９および図１０に示す構成に限定されず、可動シャッター５２１が解放位置にある状態でロッドを保持する構成を有していてもよい。図１１は、実施の形態１にかかるシャッター駆動ユニットの他の例を示す底面図である。図１２は、図１１に示すシャッター駆動ユニットのロッドの外観斜視図である。図１３および図１４は、図１１に示すユニットベースにロッドおよびリンクを取り付けた状態のシャッター駆動ユニットの平面図である。図１５は、図１１に示すXV-XV線に沿った断面図である。
【００４８】
図１１に示すシャッター駆動ユニット５３は、ユニットベース５３１の一部の形状、およびロッド５３４の形状の一部が、図９に示すシャッター駆動ユニット５３と異なる。ロッド５３４は、図１２に示すように、基端部５３４ｂの下部から下方に突出する突起部５３４ｅを有している。そして、ユニットベース５３１は、図１１および図１３に示すように、ロッド５３４に設けられた突起部５３４ｅの前後方向の移動をガイドするガイド溝５３１ｃと、左方向でガイド溝５３１ｃに連続する凹部５３１ｄを有する。凹部５３１ｄは、後方へのロッド５３４の移動に伴い突起部５３４ｅをガイド溝５３１ｃにガイドする傾斜部５３１ｅを有する。
【００４９】
遮断器本体１が引出枠３内から引き出されている場合、図１３に示すように、ロッド５３４の延伸部５３４ａは、不図示の圧縮ばね５３３による付勢によって前方へ引き出されている。図１３に示す状態から遮断器本体１を引出枠３へ向けて移動すると、ロッド５３４は、突起部５３４ｅがガイド溝５３１ｃにガイドされながら後方へ移動し、図１４に示す状態になる。これにより、可動シャッター５２１は遮断位置から解放位置に移動される。
【００５０】
また、遮断器本体１が引出枠３内から引き出されている状態から、ロッド５３４を後方へ移動させて、突起部５３４ｅが凹部５３１ｄと対向する位置になったときにロッド５３４を回転させると、突起部５３４ｅが凹部５３１ｄに進入する。この状態において、ロッド５３４を後方に押す力をなくすと、突起部５３４ｅが凹部５３１ｄによって係止される。突起部５３４ｅが凹部５３１ｄと対向する位置になるまでに、可動シャッター５２１は遮断位置から解放位置に移動されることから、可動シャッター５２１を解放位置で保持することができる。
【００５１】
したがって、保守点検時に電源側の可動シャッター５２１と負荷側の可動シャッター５２１とを個別または同時に解放位置にすることができ、これにより、端子装置２内の電源側の回路と負荷側の回路を個別にまたは同時に点検することができる。なお、ロッド５３４の基端部５３４ｂは延伸部５３４ａを軸中心として円弧状に形成されている。そのため、ロッド５３４を回転させてもロッド５３４の基端部５３４ｂは第１のアーム部５３６ｂとの距離が実質的に変化せず、これにより、ロッド５３４からリンク５３６へ加わる力が大きくなりすぎてリンク５３６が座屈するといった事態を回避することができる。
【００５２】
また、突起部５３４ｅが凹部５３１ｄによって係止された状態で、遮断器本体１を引出枠３へ向けて移動すると、遮断器本体１によってロッド５３４が後方に移動される。このとき、凹部５３１ｄへ移動させた突起部５３４ｅは、凹部５３１ｄの傾斜部５３１ｅを摺動しながら後方に移動する際に回転するため、遮断器本体１が引出枠３に収納された状態になるまでに、回転させたロッド５３４の姿勢が元に戻り、突起部５３４ｅと凹部５３１ｄとの係合が解除される。したがって、その後に遮断器本体１が引出枠３から引き出される場合、ロッド５３４が圧縮ばね５３３によって移動される。このとき、突起部５３４ｅはガイド溝５３１ｃに戻った状態であるため、ガイド溝５３１ｃに沿って移動していき、突起部５３４ｅが凹部５３１ｄよりも前方に移動する。そのため、可動シャッター５２１の位置が解放位置のままにならない。
【００５３】
図１６は、実施の形態１にかかる遮断器本体が引出枠内に収納された状態の引出形遮断器の一部断面図であり、図１７は、実施の形態１にかかる遮断器本体が引出枠内から引き出された状態の引出形遮断器の一部断面図である。なお、図１６および図１７では、引出枠３および引出レール４は省略されている。
【００５４】
図１０に示すように、遮断器本体１が引出枠３内に収納された状態では、遮断器側導体１１−１が第２の固定シャッター５１２の開口５１２ａを介して端子装置２の端子収納部２１５に挿入されている。端子収納部２１５において、遮断器側導体１１−１は、引出枠側導体２２−１のコネクター２２３に接続される。同様に、遮断器側導体１１−２は、第１の固定シャッター５１１の開口５１１ａを介して端子装置２の端子収納部２１５に挿入され、引出枠側導体２２−２のコネクター２２３に接続される。遮断器側導体１１−３は、第２の固定シャッター５１２の開口５１２ａを介して端子装置２の端子収納部２１５に挿入され、引出枠側導体２２−３のコネクター２２３に接続される。遮断器本体１が引出枠３内に収納された状態では、ロッド５３４は、シャッター駆動ユニット５３に押込まれている。
【００５５】
図１７に示すように、引出形遮断器１００は、図１６に示す状態から遮断器本体１が引出枠３内から前方に引き出されると、遮断器本体１のユニット収納部２１７に押込まれていたロッド５３４が図１０に示す圧縮ばね５３３の伸張力によって前方に押される。そのため、遮断器側導体１１−１，１１−２，１１−３が開口５１１ａ，５１２ａを通過した後に、シャッター駆動ユニット５３の第２のアーム部５３６ｃの先端５３６ｄが可動シャッター５２１を閉塞位置へ移動させる。これにより、開口５１１ａ，５１２ａが閉塞板部５２１ａ，５２１ｂ，５２１ｃによって閉塞される。
【００５６】
次に、絶縁ベース２１の構成、固定シャッター部５１の構成、および絶縁ベース２１と固定シャッター部５１との関係について説明する。まず、絶縁ベース２１の構成について具体的に説明する。図１８は、実施の形態１にかかる絶縁ベースの一例を示す正面図であり、図１９は、実施の形態１にかかる絶縁ベースの一例を示す外観斜視図である。
【００５７】
図１８および図１９に示すように、絶縁ベース２１は、左右対称に形成される。かかる絶縁ベース２１は、上壁部である壁部２１１と、底壁部である壁部２１２と、左の側壁部である壁部２１３と、右の側壁部である壁部２１４とを有する。壁部２１１，２１２，２１３，２１４で囲われた空間に、端子収納部２１５，２１６と、２つのユニット収納部２１７が形成される。２つのユニット収納部２１７の各々は、上述したシャッター駆動ユニット５３が収納される空間であり、端子収納部２１５と端子収納部２１６との間に形成される。
【００５８】
壁部２１１は、可動シャッター５２１が摺動する摺動面２１１ａと、摺動面２１１ａの前方に配置され下方に突出するガイド部２１１ｂとを有する。ガイド部２１１ｂによって、可動シャッター５２１が摺動面２１１ａから脱落することが抑制される。
【００５９】
壁部２１２は、可動シャッター５２１が摺動する摺動面２１２ａと、摺動面２１２ａの前方に配置され上方に突出するガイド部２１２ｂとを有する。ガイド部２１２ｂによって、可動シャッター５２１が摺動面２１２ａから脱落することが抑制される。
【００６０】
壁部２１３，２１４は、摺動溝２１３ａ，２１４ａと、ストッパー部２１３ｂ，２１４ｂとを有する。図１０に示すシャッター駆動ユニット５３の複数の凸部５３２ａは、シャッター駆動ユニット５３がユニット収納部２１７に挿入される際に、摺動溝２１３ａ，２１４ａを摺動する。そして、図１０に示すシャッター駆動ユニット５３の複数の凸部５３２ｂがストッパー部２１３ｂ，２１４ｂに当たることで、シャッター駆動ユニット５３の後方への移動が規制される。
【００６１】
また、壁部２１３，２１４は、摺動面２１３ｃ，２１４ｃを有している。上述した摺動面２１１ａ，２１２ａと摺動面２１３ｃ，２１４ｃとを２つの可動シャッター５２１が摺動することで、２つの可動シャッター５２１の左右方向への移動が可能である。
【００６２】
また、壁部２１３，２１４は、摺動面２１３ｃ，２１４ｃよりも前方に各々突出した第１の突出部２１３ｄ，２１４ｄ、第２の突出部２１３ｅ，２１４ｅ、および係合部２１３ｆ，２１４ｆが形成される。第２の突出部２１３ｅ，２１４ｅは、第１の突出部２１３ｄ，２１４ｄよりも前方に突出しており、係合部２１３ｆ，２１４ｆは、第２の突出部２１３ｅ、２１４ｅよりも前方に突出している。第１の突出部２１３ｄ，２１４ｄの前面は、第１の固定シャッター５１１の背面が接触する第１のシャッター取付面であり、第２の突出部２１３ｅ，２１４ｅの前面は、第２の固定シャッター５１２の背面が接触する第２のシャッター取付面である。第１の突出部２１３ｄ，２１４ｄの前面と摺動面２１３ｃ，２１４ｃとの前後方向の間隔は、可動シャッター５２１の前後方向の厚みよりも大きい。
【００６３】
係合部２１３ｆは、Ｌ字状に形成されており、前方へ延伸する第１の延伸部２１３ｆ１と、第１の延伸部２１３ｆ１の先端から左方向に向けて延伸する第２の延伸部２１３ｆ２とを有する。係合部２１４ｆは、前方へ延伸する第１の延伸部２１４ｆ１と、第１の延伸部２１４ｆ１の先端から右方向に向けて延伸する第２の延伸部２１４ｆ２とを有する。
【００６４】
このように、係合部２１３ｆ，２１４ｆは、先端が左右方向であって且つ遮断器本体１の外方に向かう方向、すなわち先端が互いに離れる方向に延伸している。したがって、係合部２１３ｆ，２１４ｆは、前後方向において対向する他の部位がない位置に容易に配置することができ、モールド成形によって絶縁ベース２１を一体形成することができる。
【００６５】
図２０は、実施の形態１にかかる第１の固定シャッターの構成例を示す図である。図２０に示すように、第１の固定シャッター５１１は、遮断器側導体１１が挿入される開口５１１ａと、遮断器側導体１２が挿入される開口５１１ｂと、ロッド５３４が挿入される開口５１１ｃとを有する。また、第１の固定シャッター５１１は、第２のアーム部５３６ｃの先端５３６ｄが挿入される開口５１１ｄと、第２の突出部２１３ｅが挿入される複数の開口５１１ｅ，５１１ｈと、係合部２１３ｆが挿入される複数の開口５１１ｆ，５１１ｉと、複数のガイド部２１１ｂと係合する２つの凹部５１１ｇとを有する。なお、複数の凹部５１１ｇは、複数のガイド部２１１ｂ，２１２ｂと嵌め合うことができる形状に形成されているが、係合できる形状であればよく、図２０に示す形状に限定されない。
【００６６】
図２１は、実施の形態１にかかる第２の固定シャッターの構成例を示す図である。図２１に示すように、第２の固定シャッター５１２は、遮断器側導体１１が挿入される開口５１２ａと、遮断器側導体１２が挿入される開口５１２ｂと、下方に突出し、係合部２１３ｆ，２１４ｆと係合する凸状の複数の係合部５１２ｃ，５１２ｄと、複数のガイド部２１１ｂ，２１２ｂと係合する複数の凹部５１２ｅとを有する。なお、複数の凹部５１２ｅは、複数のガイド部２１１ｂ，２１２ｂと係合できる形状であればよく、図２１に示す形状に限定されない。
【００６７】
また、第２の固定シャッター５１２は、第１の延伸部２１３ｆ１，２１４ｆ１の少なくとも一つが挿入される複数の切欠部５１２ｆ，５１２ｇ，５１２ｈを有している。切欠部５１２ｆは、左方に向けて切り欠かれており、切欠部５１２ｇ，５１２ｈは、右方に向けて切り欠かれている。切欠部５１２ｆは上述した係合部５１２ｃに隣接して配置され、切欠部５１２ｇは上述した５１２ｄに隣接して配置される。切欠部５１２ｈは、切欠部５１２ｇの下方に配置される。
【００６８】
次に、絶縁ベース２１への固定シャッター部５１および可動シャッター部５２の取り付け方法について説明する。図２２は、実施の形態１にかかる絶縁ベースへシャッター駆動ユニットが取り付けられた様子を示す図である。図２３は、実施の形態１にかかる絶縁ベースへ可動シャッター部を取り付ける様子を示す図である。図２４は、実施の形態１にかかる絶縁ベースへ第１の固定シャッターを取り付ける様子を示す図である。図２５は、実施の形態１にかかる絶縁ベースへ第２の固定シャッターを取り付ける様子を示す図である。図２６は、実施の形態１にかかるシャッター装置が装着された端子装置の正面図である。図２７は、図２６に示すXXII-XXII線に沿った断面図である。なお、図２２、図２３、図２４、図２５、図２６、および図２７では、説明の便宜上、絶縁ベース２１には、引出枠側導体２２および引出枠側導体２３は図示していない。
【００６９】
まず、図２２に示すように、３つの端子ユニット２０−１，２０−２，２０−３が左右方向に隣接して配置される。次に、３つの端子ユニット２０−１，２０−２，２０−３のうち真ん中の端子ユニット２０−２の絶縁ベース２１に形成された２つのユニット収納部２１７に、２つのシャッター駆動ユニット５３が挿入される。なお、２つのシャッター駆動ユニット５３は、互いに上下左右が反転した状態で２つのユニット収納部２１７に挿入される。
【００７０】
つづいて、図２３に示すように、２つの可動シャッター５２１が端子ユニット２０−１，２０−２，２０−３に取り付けられる。具体的には、２つの可動シャッター５２１の一方は、上側の摺動面２１１ａ，２１３ｃ，２１４ｃに摺動可能に配置され、開口５２１ｇが上側のシャッター駆動ユニット５３における第２のアーム部５３６ｃの先端５３６ｄに挿入される。また、他方の可動シャッター５２１は、下側の摺動面２１２ａ，２１３ｃ，２１４ｃに摺動可能に配置され、開口５２１ｇが下側のシャッター駆動ユニット５３における第２のアーム部５３６ｃの先端５３６ｄに挿入される。
【００７１】
なお、一方の可動シャッター５２１は、摺動面２１１ａとガイド部２１１ｂとの間に配置されることで、端子ユニット２０からの脱落が防止される。また、他方の可動シャッター５２１は、摺動面２１２ａとガイド部２１２ｂとの間に配置されることで、端子ユニット２０からの脱落が防止される。
【００７２】
つづいて、図２４に示すように、端子ユニット２０−２の絶縁ベース２１に第１の固定シャッター５１１が取り付けられる。図２４に示す状態において、第１の固定シャッター５１１の上下の凹部５１１ｇは、端子ユニット２０−２の絶縁ベース２１のガイド部２１１ｂ，２１２ｂに嵌め込まれる。
【００７３】
さらに、第１の固定シャッター５１１の開口５１１ｈに、端子ユニット２０−１の第２の突出部２１３ｅと端子ユニット２０−２の第２の突出部２１４ｅとが嵌め込まれる。第１の固定シャッター５１１の開口５１１ｅに、端子ユニット２０−２の第２の突出部２１３ｅと端子ユニット２０−３の第２の突出部２１４ｅとが嵌め込まれる。第１の固定シャッター５１１の開口５１１ｉに、端子ユニット２０−１の係合部２１３ｆと端子ユニット２０−２の係合部２１４ｆとが嵌め込まれ、第１の固定シャッター５１１の開口５１１ｆに、端子ユニット２０−２の係合部２１３ｆと端子ユニット２０−３の係合部２１４ｆとが嵌め込まれる。
【００７４】
このように、第１の固定シャッター５１１が端子ユニット２０−１，２０−２，２０−３に嵌め合わされる。そのため、第１の固定シャッター５１１を端子ユニット２０−２に取り付けつつ、第１の固定シャッター５１１により３つの端子ユニット２０−１，２０−２，２０−３を連結することができる。なお、図２４に示す状態では、２つのシャッター駆動ユニット５３の上述したロッド５３４は、第１の固定シャッター５１１の上述した開口５１１ｂから突出した状態である。
【００７５】
つづいて、図２５および図２７に示すように、第１の固定シャッター５１１が取り付けられた状態の各端子ユニット２０−１，２０−３に第２の固定シャッター５１２が取り付けられる。図２５および図２７に示す状態において、第２の固定シャッター５１２の各係合部５１２ｃは、隣接する２つの端子ユニット２０の係合部２１３ｆ，２１４ｆに係合し、第２の固定シャッター５１２の係合部５１２ｄは、端子ユニット２０の係合部２１３ｆ，２１４ｆのいずれかに係合している。
【００７６】
具体的には、第２の固定シャッター５１２の係合部５１２ｃは、隣接する２つの端子ユニット２０の係合部２１３ｆ，２１４ｆと第１の固定シャッター５１１の前面との間に挿入される。そのため、第２の固定シャッター５１２の係合部５１２ｃは、係合部２１３ｆ，２１４ｆの第２の延伸部２１３ｆ２，２１４ｆ２の背面と第１の固定シャッター５１１の前面とで挟持される。
【００７７】
また、第２の固定シャッター５１２の係合部５１２ｄは、第２の突出部２１３ｅの前面を含む平面と係合部２１３ｆの第２の延伸部２１３ｆ２の背面との間に形成される空間、または第２の突出部２１４ｅの前面を含む平面と係合部２１４ｆの第２の延伸部２１４ｆ２の背面との間に形成される空間に挿入される。これにより、第２の固定シャッター５１２の係合部５１２ｄは、係合部２１３ｆ，２１４ｆのいずれかと係合する。
【００７８】
また、第２の固定シャッター５１２の切欠部５１２ｆ，５１２ｇには、第１の延伸部２１３ｆ１，２１４ｆ１の少なくとも一つが挿入され係合部２１３ｆ，２１４ｆの少なくとも一つと係合する。切欠部５１２ｆは、係合部５１２ｃの左右および下方を含む領域に形成されている。切欠部５１２ｆのうち係合部５１２ｃの下方に位置する領域に第１の延伸部２１３ｆ１，２１４ｆ１を挿入され、かつ、切欠部５１２ｇに第１の延伸部２１３ｆ１，２１４ｆ１の少なくとも一方が挿入される。その後、第２の固定シャッター５１２を下方に移動させることで、係合部２１３ｆ，２１４ｆの少なくとも一つが切欠部５１２ｆ，５１２ｇに挿入された状態で、係合部２１３ｆ，２１４ｆの少なくとも一つが切欠部５１２ｆ，５１２ｇと係合し、かつ係合部５１２ｃ，５１２ｄが係合部２１３ｆ，２１４ｆと係合する。同様に、第２の固定シャッター５１２の切欠部５１２ｈには、第１の延伸部２１３ｆ１，２１４ｆ１の少なくとも一つが挿入され係合部２１３ｆ，２１４ｆの少なくとも一つと係合する。
【００７９】
第１の固定シャッター５１１の板厚は、第１の突出部２１３ｄ，２１４ｄの前面と第２の突出部２１３ｅ，２１４ｅの前面との間の距離と実質的に同一である。そのため、第２の固定シャッター５１２の背面は、第１の固定シャッター５１１の前面と第２の突出部２１３ｅの前面とに押し当てられる。また、第２の固定シャッター５１２の係合部５１２ｄは、係合部２１３ｆの第２の延伸部２１３ｆ２の背面または係合部２１４ｆの第２の延伸部２１４ｆ２の背面に押し当てられる。
【００８０】
このように、２つの第２の固定シャッター５１２は、一部が第１の固定シャッター５１１の一部と重なり合った状態で、第１の固定シャッター５１１が取り付けられた端子ユニット２０に取り付けられる。そのため、第１の固定シャッター５１１は、端子ユニット２０と第２の固定シャッター５１２との間に配置され、端子ユニット２０から脱落することが防止される。
【００８１】
上述した例では、遮断器本体１において、絶縁ベース２１に第２の突出部２１３ｅ，２１４ｅを設けたが、遮断器本体１は、絶縁ベース２１に第２の突出部２１３ｅ，２１４ｅを設けない構成であってもよい。この場合、固定シャッター部５１の構成も一部異なる。図２８は、実施の形態１にかかる絶縁ベースの他の例を示す外観斜視図である。図２９は、実施の形態１にかかる固定シャッター部の他の例を示す正面図である。図３０は、図２８に示す絶縁ベースへ図２９に示す固定シャッター部を取り付けた状態を示す正面図である。
【００８２】
図２８に示す絶縁ベース２１には、図１８に示す第２の突出部２１３ｅ，２１４ｅが設けられていない。また、第１の突出部２１３ｄ，２１４ｄの前面を含む平面と係合部２１３ｆ，２１４ｆの第２の延伸部２１３ｆ２，２１４ｆ２の裏面との間隔は、第１の固定シャッター５１１および第２の固定シャッター５１２の各々の板厚と実質的に同一である。
【００８３】
図２９に示す第１の固定シャッター５１１は、図２０に示す開口５１１ｅ，５１１ｆ，５１１ｈ，５１１ｉに代えて、下方に突出する凸状の係合部５１１ｋを有する。また、図２９に示す第２の固定シャッター５１２は、図２１に示す係合部５１２ｃに代えて、下方に突出する凸状の係合部５１２ｉを有する。係合部５１１ｋ，５１２ｉは、係合部２１３ｆ，２１４ｆの第１の延伸部２１３ｆ１，２１４ｆ１が挿入される切欠部に隣接して配置される。係合部５１２ｉの幅は、係合部５１２ｃの幅よりも小さい。また、第１の固定シャッター５１１および第２の固定シャッター５１２の各々の幅は、絶縁ベース２１の幅と実質的に同一である。なお、ここでの「幅」は、左右方向の長さを意味する。
【００８４】
図３０に示すように、端子ユニット２０−２の絶縁ベース２１に設けられた係合部２１３ｆ，２１４ｆと図２９に示す第１の固定シャッター５１１の複数の係合部５１１ｋとが係合する。また、端子ユニット２０−１の絶縁ベース２１に設けられた係合部２１３ｆと図２９に示す第２の固定シャッター５１２の係合部５１２ｉとが係合する。また、端子ユニット２０−３の絶縁ベース２１に設けられた係合部２１４ｆと図２９に示す第２の固定シャッター５１２の係合部５１２ｉとが係合する。このように、遮断器本体１は、絶縁ベース２１に第２の突出部２１３ｅ，２１４ｅを設けない構成であってもよい。なお、遮断器本体１は、一つの端子ユニット２０を有し、単相回路の電路の開動作および閉動作を行う構成であってもよい。
【００８５】
以上のように、実施の形態１にかかる引出形遮断器１００は、遮断器本体１と、端子装置２と、引出枠３と、シャッター装置５とを備える。端子装置２は、電源側導体および負荷側導体に接続される複数の引出枠側導体２２，２３と、複数の引出枠側導体２２，２３が挿入される絶縁ベース２１とを含む端子ユニット２０を複数有し、引出枠３内に配設される。遮断器本体１は、引出枠３内に収納された状態で複数の引出枠側導体２２，２３と接続される複数の遮断器側導体１１，１２を有し、引出枠３内からの引き出しが可能である。シャッター装置５は、第１の固定シャッター５１１と、第２の固定シャッター５１２と、可動シャッター５２１とを有する。第１の固定シャッター５１１は、遮断器本体１の引出枠３内への収納時に複数の遮断器側導体１１，１２が挿入される複数の開口５１１ａ，５１１ｂを有する。第２の固定シャッター５１２は、遮断器本体１の引出枠３内への収納時に複数の遮断器側導体１１，１２が挿入される複数の開口５１２ａ，５１２ｂを有する。可動シャッター５２１は、遮断器本体１が引出枠３内から引き出された場合に複数の開口５１１ａ，５１２ａまたは複数の開口５１１ｂ，５１２ｂを塞ぐ。複数の絶縁ベース２１は、遮断器本体１が引き出される方向である引き出し方向と直交する方向に配列される。複数の絶縁ベース２１の各々は、引き出し方向と直交する方向で対向する一対の壁部２１３，２１４を備える。一対の壁部２１３，２１４の各々は、第１の固定シャッター５１１および第２の固定シャッター５１２のうち少なくとも一つと係合する係合部２１３ｆ，２１４ｆを備える。係合部２１３ｆ，２１４ｆの各々は、引き出し方向へ延伸する第１の延伸部２１３ｆ１，２１４ｆ１と、第１の延伸部２１３ｆ１，２１４ｆ１の先端から、引き出し方向と直交する方向に向けて延伸する第２の延伸部２１３ｆ２，２１４ｆ２とを有する。一対の壁部２１３，２１４の一方の第２の延伸部２１３ｆ２と他方の第２の延伸部２１４ｆ２とは、互いに離れる方向に延伸する。係合部２１３ｆ，２１４ｆは、先端が互いに向き合う方向とは逆方向に延伸するため、係合部２１３ｆ，２１４ｆを前後方向において対向する他の部位がない位置に容易に配置することができ、モールド成形によって絶縁ベース２１を一体形成することができる。
【００８６】
また、第１の固定シャッター５１１は、第１の延伸部２１３ｆ１，２１４ｆ１が挿入される開口５１１ｆ，５１１ｉを有する。開口５１１ｆ，５１１ｉは、第１の開口の一例である。第２の固定シャッター５１２は、第１の延伸部２１３ｆ１，２１４ｆ１の少なくとも一つが挿入される切欠部５１２ｆ，５１２ｇと、下方に突出し、第１の固定シャッター５１１の開口５１１ｆ，５１１ｉが第１の延伸部２１３ｆ１，２１４ｆ１が挿入された状態の係合部２１３ｆ，２１４ｆの第２の延伸部２１３ｆ２，２１４ｆ２と係合する係合部５１２ｃ，５１２ｄを備える。これにより、第２の固定シャッター５１２は、一部が第１の固定シャッター５１１の一部と重なり合った状態で、第１の固定シャッター５１１が取り付けられた端子装置２に取り付けられる。そのため、第１の固定シャッター５１１は、端子装置２と第２の固定シャッター５１２との間に配置され、端子装置２から第１の固定シャッター５１１が脱落することが防止される。係合部５１２ｃ，５１２ｄは、シャッター側係合部の一例である。
【００８７】
また、一対の壁部２１３，２１４の各々は、引き出し方向へ延伸する第２の突出部２１３ｅ，２１４ｅを有する。第１の固定シャッター５１１は、第２の突出部２１３ｅ，２１４ｅが挿入される開口５１１ｅを有する。開口５１１ｅは、第２の開口の一例である。第２の固定シャッター５１２は、遮断器本体１と対向する面と逆の面で第２の突出部２１３ｅ，２１４ｅの前面に当接する。これにより、第２の突出部２１３ｅ，２１４ｅに第１の固定シャッター５１１と係合させつつ、第２の突出部２１３ｅ，２１４ｅの前面に第２の固定シャッター５１２を押し当てた状態で第２の固定シャッター５１２を保持することができる。そのため、第１の固定シャッター５１１および第２の固定シャッター５１２をより安定した状態で端子装置２に取り付けることができる。
【００８８】
また、開口５１１ｅには、複数の絶縁ベース２１のうち互いに隣接する２つの絶縁ベース２１の各々の第２の突出部２１３ｅが挿入される。これにより、第１の固定シャッター５１１を複数の絶縁ベース２１に跨って取り付けることができるため、例えば、複数の絶縁ベース２１間の位置ずれを防止することができる。
【００８９】
また、第１の固定シャッター５１１とは第２の固定シャッター５１２は、互いの一部がオーバラップした状態で端子装置２に取り付けられる。これにより、第１の固定シャッター５１１および第２の固定シャッター５１２をより安定した状態で端子装置２に取り付けることができる。
【００９０】
また、シャッター装置５は、遮断器本体１の引出枠３からの引き出しに連動して可動シャッター５２１を移動するシャッター駆動ユニット５３を備える。シャッター駆動ユニット５３は、複数の絶縁ベース２１のうち一つの絶縁ベース２１の内部における複数の引出枠側導体２２，２３間に配置される。複数の引出枠側導体２２，２３間にシャッター駆動ユニット５３が配置されるため、絶縁ベース２１の幅および引出形遮断器１００の幅が大きくなることを抑制することができる。また、絶縁ベース２１における上下方向の中央にシャッター駆動ユニット５３が配置される。そのため、遮断器本体１が捩れて引出枠３に収納される場合であっても、引出枠側導体２２の上方と引出枠側導体２３の下方とに各々シャッター駆動ユニット５３が配置される場合に比べ、可動シャッター５２１を精度よく移動させることができる。また、例えば、シャッター駆動ユニット５３が端子ユニット２０−１，２０−３に配置された場合、シャッター駆動ユニット５３が左右に離れて配置されることになり、遮断器本体１が左右に捩れて挿入されると、一方のシャッター駆動ユニット５３は早く駆動され、他方のシャッター駆動ユニット５３は遅れて駆動されることとなり、遅れて駆動される可動シャッター５２１が遮断器側導体１１または遮断器側導体１２とがぶつかる可能性がある。そこで、シャッター駆動ユニット５３を複数の絶縁ベース２１のうち中央の絶縁ベース２１に配置することで、引出形遮断器１００が左右に捩れた状態で引出枠３に収納される場合であっても、可動シャッター５２１を精度よく移動させることができる。
【００９１】
また、シャッター駆動ユニット５３は、引き出し方向に付勢されたロッド５３４と、リンク５３６とを有する。リンク５３６は、引き出し方向と逆方向へのロッド５３４の移動に伴って回転し可動シャッター５２１を複数の開口５１１ａ，５１１ｂ，５１２ａ，５１２ｂを塞ぐ遮断位置から複数の開口５１１ａ，５１１ｂ，５１２ａ，５１２ｂを露出させる解放位置に移動させる。これにより、シャッター駆動ユニット５３は、比較的小さな力で可動シャッター５２１を移動させることができる。
【００９２】
また、シャッター駆動ユニット５３は、リンク５３６を回転可能に保持し、引き出し方向とは逆方向へのロッド５３４の移動に伴ってロッド５３４が挿入されるユニットベース５３１を備える。ユニットベース５３１は、可動シャッター５２１が解放位置にある状態でロッド５３４を保持可能である。これにより、保守点検時に電源側の回路と負荷側の回路を個別にまたは同時に可動シャッター５２１を解放位置にして端子装置２内を点検することができる。
【００９３】
また、ロッド５３４は、引き出し方向と直交する方向である下方に突出する突起部５３４ｅを備える。シャッター駆動ユニット５３は、突起部５３４ｅをガイドするガイド溝５３１ｃと、引き出し方向と直交する方向でガイド溝５３１ｃに連続し、突起部５３４ｅを係止する凹部５３１ｄとを有する。これにより、容易に可動シャッター５２１を解放位置に維持することができる。
【００９４】
また、凹部５３１ｄは、引き出し方向と逆方向へのロッド５３４の移動に伴い突起部５３４ｅをガイド溝５３１ｃへ進入させる傾斜部５３１ｅを有する。これにより、遮断器本体１を引出枠３へ収納することによって、突起部５３４ｅをガイド溝５３１ｃに戻すことができ、可動シャッター５２１の位置が解放位置で維持されることを容易に回避することができる。
【００９５】
実施の形態２．
実施の形態２にかかる引出形遮断器は、実施の形態１にかかる引出形遮断器１００と、端子ユニット２０の数と固定シャッター部の構成が異なる。以下においては、実施の形態１と同様の機能を有する構成要素については同一符号を付して説明を省略し、実施の形態１の引出形遮断器１００と異なる点を中心に説明する。
【００９６】
図３１は、実施の形態２にかかる端子装置の正面図であり、図３２は、実施の形態２にかかる端子装置にシャッター装置を取り付ける様子を示す外観斜視図である。図３１および図３２に示すように、実施の形態２にかかる端子装置２Ａは、互いに同一構成を有する４つの端子ユニット２０−１，２０−２，２０−３，２０−４を備える。また、シャッター装置５Ａは、固定シャッター部５１Ａと、可動シャッター部５２Ａと、２つのシャッター駆動ユニット５３とを備える。
【００９７】
可動シャッター部５２Ａは、２つの可動シャッター５２１Ａを有している。可動シャッター５２１Ａは、閉塞板部が４つある点で、３つの閉塞板部５２１ａ，５２１ｂ，５２１ｃを有する可動シャッター５２１と異なる。
【００９８】
固定シャッター部５１Ａは、第１の固定シャッター５１１と、第２の固定シャッター５１２と、第３の固定シャッター５１３と、補助パネル５１４とを備える。第１の固定シャッター５１１は、端子ユニット２０−２に取り付けられる。第２の固定シャッター５１２は、端子ユニット２０−１に取り付けられる。第３の固定シャッター５１３は、２つの端子ユニット２０−３，２０−４に取り付けられる。また、補助パネル５１４は、端子ユニット２０−３の壁部２１３と端子ユニット２０−４の壁部２１４とに取り付けられる。
【００９９】
図３３は、実施の形態２にかかる第３の固定シャッターの外観斜視図であり、図３４は、実施の形態２にかかる補助パネルの外観斜視図である。図３３に示すように、第３の固定シャッター５１３は、遮断器側導体１１が挿入される開口５１３ａと、遮断器側導体１２が挿入される開口５１３ｂと、下方に突出し、係合部２１３ｆ，２１４ｆの少なくとも一つと係合する凸状の複数の係合部５１３ｃ，５１３ｄ，５１３ｉと、複数のガイド部２１１ｂ，２１２ｂと係合する複数の凹部５１３ｅとを有する。
【０１００】
また、第３の固定シャッター５１３は、第１の延伸部２１３ｆ１，２１４ｆ１の少なくとも一つが挿入される複数の切欠部５１３ｆ，５１３ｇ，５１３ｈと第１の延伸部２１３ｆ１，２１４ｆ１が挿入される開口５１３ｊとを有している。切欠部５１３ｆ，５１３ｇ，５１３ｈは、上述した切欠部５１２ｆ，５１２ｇ，５１２ｈと同様の構成である。開口５１３ｊは係合部５１３ｉに隣接して配置される。第３の固定シャッター５１３の取り付け工程では、開口５１３ｊのうち係合部５１３ｉの下方に位置する領域に第１の延伸部２１３ｆ１，２１４ｆ１を挿入し、その後、第３の固定シャッター５１３を下方に移動させる。これにより、係合部２１３ｆ，２１４ｆが開口５１３ｊに挿入された状態で、係合部２１３ｆ，２１４ｆが開口５１３ｊおよび係合部５１３ｉと係合する。
【０１０１】
第３の固定シャッター５１３の係合部５１３ｃ，５１３ｄ，５１３ｉは、第２の固定シャッター５１２の係合部５１２ｃ，５１２ｄと同様に機能する。また、第３の固定シャッター５１３の凹部５１３ｅは、第２の固定シャッター５１２の凹部５１２ｅと同様に機能する。したがって、第３の固定シャッター５１３は、一部が第１の固定シャッター５１１の一部と重なり合った状態で、第１の固定シャッター５１１が取り付けられた端子ユニット２０−２，２０−３，２０−４に取り付けられる。
【０１０２】
図３４に示すように、補助パネル５１４は、複数の開口５１４ａと、複数の開口５１４ｂとを有する。複数の開口５１４ａには、端子ユニット２０−３の第２の突出部２１３ｅと端子ユニット２０−４の第２の突出部２１４ｅとが挿入される。また、複数の開口５１４ｂには、端子ユニット２０−３の係合部２１３ｆと端子ユニット２０−４の係合部２１３ｆとが挿入される。補助パネル５１４は、第３の固定シャッター５１３と端子ユニット２０−３，２０−４との間に配置される。したがって、第３の固定シャッター５１３の背面は、第２の突出部２１３ｅの前面に加え、補助パネル５１４の前面に接触するため、第３の固定シャッター５１３を安定的に端子装置２Ａに取り付けることができる。なお、シャッター装置５Ａは、補助パネル５１４を設けない構成であってもよい。
【０１０３】
このように、極数が増加して４極以上になった場合であっても、実施の形態１にかかる引出形遮断器１００と同様の原理で、固定シャッター部５１Ａを端子装置２Ａに取り付けることができる。
【０１０４】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【０１０５】
１  遮断器本体、２，２Ａ  端子装置、３  引出枠、４  引出レール、５，５Ａ  シャッター装置、１０  筐体、１０ａ  前面部、１１，１１−１，１１−２，１１−３，１２，１２−１，１２−２，１２−３  遮断器側導体、２０，２０−１，２０−２，２０−３，２０−４  端子ユニット、２１  絶縁ベース、２２，２２−１，２２−２，２２−３，２３，２３−１，２３−２，２３−３  引出枠側導体、２４  ボルト、２５  ネジ、３１，３２  側板、３３，３４  保持板、４１，４２  レール部材、５１，５１Ａ  固定シャッター部、５２，５２Ａ  可動シャッター部、５３  シャッター駆動ユニット、１００  引出形遮断器、２１１，２１２，２１３，２１４  壁部、２１１ａ，２１２ａ，２１３ｃ，２１４ｃ  摺動面、２１１ｂ，２１２ｂ  ガイド部、２１３ａ，２１４ａ  摺動溝、２１３ｂ，２１４ｂ  ストッパー部、２１３ｄ，２１４ｄ  第１の突出部、２１３ｅ，２１４ｅ  第２の突出部、２１３ｆ，２１４ｆ，５１２ｃ，５１２ｄ，５１１ｋ，５１２ｉ，５１３ｃ，５１３ｄ，５１３ｉ，５３４ｃ  係合部、２１３ｆ１，２１４ｆ１  第１の延伸部、２１３ｆ２，２１４ｆ２  第２の延伸部、２１５，２１６  端子収納部、２１７  ユニット収納部、２１９  ネジ穴、２２１，２３１  端子導体、２２１ａ，２２２ａ  底部、２２１ｂ  端子部、２２２，２３２  中継端子導体、２２２ｂ  先端部、２２３，２３３  コネクター、２２３ａ，２２３ｂ  溝部、５１１  第１の固定シャッター、５１１ａ，５１１ｂ，５１１ｃ，５１１ｄ，５１１ｅ，５１１ｆ，５１１ｈ，５１１ｉ，５１２ａ，５１２ｂ，５１３ａ，５１３ｂ，５１３ｊ，５１４ａ，５１４ｂ，５２１ｇ，５３６ａ  開口、５１１ｇ，５１２ｅ，５１３ｅ，５３１ｄ  凹部、５１２  第２の固定シャッター、５１２ｆ，５１２ｇ，５１２ｈ，５１３ｆ，５１３ｇ，５１３ｈ  切欠部、５１３  第３の固定シャッター、５１４  補助パネル、５２１，５２１Ａ  可動シャッター、５２１ａ，５２１ｂ，５２１ｃ  閉塞板部、５２１ｄ，５２１ｅ  連結部、５２１ｆ，５３２ａ，５３２ｂ  凸部、５３０  筐体部、５３１  ユニットベース、５３１ａ  摺動溝、５３１ｂ  軸部、５３１ｃ  ガイド溝、５３１ｅ  傾斜部、５３２  ユニットカバー、５３３  圧縮ばね、５３４  ロッド、５３４ａ  延伸部、５３４ｂ  基端部、５３４ｄ  接触部、５３４ｅ  突起部、５３５  コイルばね、５３６  リンク、５３６ｂ  第１のアーム部、５３６ｃ  第２のアーム部、５３６ｄ  先端。
【図１】
2019171500.tif 000003
【図２】
2019171500.tif 000004
【図３】
2019171500.tif 000005
【図４】
2019171500.tif 000006
【図５】
2019171500.tif 000007
【図６】
2019171500.tif 000008
【図７】
2019171500.tif 000009
【図８】
2019171500.tif 000010
【図９】
2019171500.tif 000011
【図１０】
2019171500.tif 000012
【図１１】
2019171500.tif 000013
【図１２】
2019171500.tif 000014
【図１３】
2019171500.tif 000015
【図１４】
2019171500.tif 000016
【図１５】
2019171500.tif 000017
【図１６】
2019171500.tif 000018
【図１７】
2019171500.tif 000019
【図１８】
2019171500.tif 000020
【図１９】
2019171500.tif 000021
【図２０】
2019171500.tif 000022
【図２１】
2019171500.tif 000023
【図２２】
2019171500.tif 000024
【図２３】
2019171500.tif 000025
【図２４】
2019171500.tif 000026
【図２５】
2019171500.tif 000027
【図２６】
2019171500.tif 000028
【図２７】
2019171500.tif 000029
【図２８】
2019171500.tif 000030
【図２９】
2019171500.tif 000031
【図３０】
2019171500.tif 000032
【図３１】
2019171500.tif 000033
【図３２】
2019171500.tif 000034
【図３３】
2019171500.tif 000035
【図３４】
2019171500.tif 000036
【手続補正書】
【提出日】令和2年2月10日(2020.2.10)
【手続補正１】
【補正対象書類名】特許請求の範囲
【補正対象項目名】全文
【補正方法】変更
【補正の内容】
【特許請求の範囲】
【請求項１】
引出枠と、
電源側導体および負荷側導体に接続される複数の引出枠側導体と、前記複数の引出枠側導体が挿入される絶縁ベースとを含む端子ユニットを複数有し、前記引出枠内に配設される端子装置と、
前記引出枠内に収納された状態で前記複数の引出枠側導体と接続される複数の遮断器側導体を有し、前記引出枠内からの引き出しが可能な遮断器本体と、
前記遮断器本体の前記引出枠内への収納時に前記複数の遮断器側導体が挿入される複数の開口を有する複数の固定シャッターと、前記遮断器本体が前記引出枠内から引き出された場合に前記複数の開口を塞ぐ可動シャッターと、を有するシャッター装置と、を備え、
複数の前記絶縁ベースは、前記遮断器本体が引き出される方向である第１の方向と直交する方向である第２の方向に配列され、
前記複数の絶縁ベースの各々は、
前記第２の方向で対向する一対の壁部を有し、
前記一対の壁部の各々は、
前記固定シャッターと係合する係合部を有し、
複数の前記係合部の各々は、
前記第１の方向へ延伸する第１の延伸部と、前記第１の延伸部の先端から前記第２の方向に延伸する第２の延伸部とを有し、
前記一対の壁部の一方の前記第２の延伸部と他方の前記第２の延伸部とは、互いに離れる方向に延伸する
ことを特徴とする引出形遮断器。
【請求項２】
前記複数の固定シャッターは、第１の固定シャッターと、第２の固定シャッターとを含み、
前記第１の固定シャッターは、
前記係合部の前記第１の延伸部が挿入される第１の開口を備え、
前記第２の固定シャッターは、
前記係合部の前記第１の延伸部が挿入される切欠部と、
前記第１の方向および前記第２の方向の各々に直交する第３の方向に突出し、前記第１の固定シャッターの第１の開口に前記第１の延伸部が挿入された状態の前記係合部の前記第２の延伸部と係合するシャッター側係合部を有する
ことを特徴とする請求項１に記載の引出形遮断器。
【請求項３】
前記一対の壁部の各々は、
前記第１の方向へ延伸する突出部を有し、
前記第１の固定シャッターは、
前記絶縁ベースの前記突出部が挿入される第２の開口を有し、
前記第２の固定シャッターは、
前記遮断器本体と対向する面とは逆の面で前記突出部に当接する
ことを特徴とする請求項２に記載の引出形遮断器。
【請求項４】
前記第２の開口には、
前記複数の絶縁ベースのうち互いに隣接する２つの絶縁ベースの前記突出部が挿入される
ことを特徴とする請求項３に記載の引出形遮断器。
【請求項５】
前記シャッター装置は、
前記遮断器本体の前記引出枠からの引き出しに連動して前記可動シャッターを移動するシャッター駆動ユニットを備え、
前記シャッター駆動ユニットは、
前記複数の絶縁ベースのうち一つの絶縁ベースの内部における前記複数の引出枠側導体間に配置される
ことを特徴とする請求項１から４のいずれか一項に記載の引出形遮断器。
【請求項６】
前記シャッター駆動ユニットは、
前記第１の方向に付勢されたロッドと、
前記第１の方向と逆方向への前記ロッドの移動に伴って回転し前記可動シャッターを前記複数の開口を塞ぐ遮断位置から前記複数の開口を露出させる解放位置に移動させるリンクとを有する
ことを特徴とする請求項５に記載の引出形遮断器。
【請求項７】
前記シャッター駆動ユニットは、
前記リンクを回転可能に保持し、前記第１の方向とは逆方向への前記ロッドの移動に伴って前記ロッドが挿入されるユニットベースを備え、
前記ユニットベースは、
前記可動シャッターが前記解放位置にある状態で前記ロッドを保持可能である
ことを特徴とする請求項６に記載の引出形遮断器。
【請求項８】
前記ロッドは、
前記第１の方向と直交する方向に突出する突起部を備え、
前記シャッター駆動ユニットは、
前記突起部をガイドするガイド溝と、
前記第１の方向と直交する方向で前記ガイド溝に連続し、前記突起部を係止する凹部と、を有する
ことを特徴とする請求項７に記載の引出形遮断器。
【請求項９】
前記凹部は、
前記第１の方向と逆方向への前記ロッドの移動に伴い前記突起部を前記ガイド溝へ進入させる傾斜部を有する
ことを特徴とする請求項８に記載の引出形遮断器。
【手続補正２】
【補正対象書類名】明細書
【補正対象項目名】００５４
【補正方法】変更
【補正の内容】
【００５４】
図１６に示すように、遮断器本体１が引出枠３内に収納された状態では、遮断器側導体１１−１が第２の固定シャッター５１２の開口５１２ａを介して端子装置２の端子収納部２１５に挿入されている。端子収納部２１５において、遮断器側導体１１−１は、引出枠側導体２２−１のコネクター２２３に接続される。同様に、遮断器側導体１１−２は、第１の固定シャッター５１１の開口５１１ａを介して端子装置２の端子収納部２１５に挿入され、引出枠側導体２２−２のコネクター２２３に接続される。遮断器側導体１１−３は、第２の固定シャッター５１２の開口５１２ａを介して端子装置２の端子収納部２１５に挿入され、引出枠側導体２２−３のコネクター２２３に接続される。遮断器本体１が引出枠３内に収納された状態では、ロッド５３４は、シャッター駆動ユニット５３に押込まれている。
【手続補正３】
【補正対象書類名】明細書
【補正対象項目名】００６５
【補正方法】変更
【補正の内容】
【００６５】
図２０は、実施の形態１にかかる第１の固定シャッターの構成例を示す図である。図２０に示すように、第１の固定シャッター５１１は、遮断器側導体１１が挿入される開口５１１ａと、遮断器側導体１２が挿入される開口５１１ｂと、ロッド５３４が挿入される開口５１１ｃとを有する。また、第１の固定シャッター５１１は、第２のアーム部５３６ｃの先端５３６ｄが挿入される開口５１１ｄと、第２の突出部２１３ｅが挿入される複数の開口５１１ｅ，５１１ｈと、係合部２１３ｆ，２１４ｆが挿入される複数の開口５１１ｆ，５１１ｉと、複数のガイド部２１１ｂ，２１２ｂと係合する２つの凹部５１１ｇとを有する。なお、複数の凹部５１１ｇは、複数のガイド部２１１ｂ，２１２ｂと嵌め合うことができる形状に形成されているが、係合できる形状であればよく、図２０に示す形状に限定されない。
【国際調査報告】
2019171500.tif 000037
2019171500.tif 000038